(57)【要約】【課題】  マトリクス状に配列された複数の表示ドットと、複数の溝を備えた入力用パネルとを用いて表示を行う際に、表示される像に干渉縞が発生するのを防止することができる電気光学装置を提供する。【解決手段】  液晶パネル２とタッチパネル５とを有する液晶表示装置１である。液晶パネル２は、マトリクス状に配置された複数の表示ドットＤを用いて表示面２１に表示を行う。タッチパネル５は、液晶パネル２の表示面２１に対向して配置され、押圧された領域の位置を検出する。このタッチパネル５は液晶パネル２の表示面２１に対して平行な面内に設けられた複数の溝３６を有し、表示の視認方向Ｅに沿った表示ドットＤの列と溝３６の稜線３６ａとの成す角度θを２５度≦θ≦６５度に設定すれば、液晶パネル２に表示される像に干渉縞が発生することを防止できる。【選択図】      図５
2006162922.tif 000002
【特許請求の範囲】
【請求項１】
マトリクス状に配置された複数の表示ドットを用いて表示面に表示を行う電気光学パネルと、
押圧された領域の位置を検出する入力用パネルと
を有し、
前記入力用パネルは前記電気光学パネルの表示面に対して平行な面内に設けられた複数の溝を有し、
前記表示ドットの視認方向に沿った列と前記溝の稜線との成す角度をθとするとき、
２５度≦θ≦６５度
であることを特徴とする電気光学装置。
【請求項２】
請求項１記載の電気光学装置において、前記複数の溝は、前記表示面に表示される像にニュートンリングが発生することを防止する溝であることを特徴とする電気光学装置。
【請求項３】
請求項１または請求項２記載の電気光学装置において、前記電気光学パネルの解像度をＳとするとき、
１００ｐｐｉ≦Ｓ≦３００ｐｐｉ
であることを特徴とする電気光学装置。
【請求項４】
請求項１または請求項２記載の電気光学装置において、
前記電気光学パネルの解像度は２０２ｐｐｉであり、
隣接する前記溝の稜線の間隔は４０μｍであり、
前記表示ドットの視認方向に沿った列と前記溝の稜線との成す角度θは３０度である
ことを特徴とする電気光学装置。
【請求項５】
請求項１から請求項４のいずれか１つに記載の電気光学装置において、前記入力用パネルは、互いに対向する一対の電極を有し、該一対の電極を接触させることによって位置を検出する入力用パネルであって、前記複数の溝は前記一対の電極よりも前記電気光学パネル側に設けられることを特徴とする電気光学装置。
【請求項６】
偏光層とマトリクス状に配置された複数の表示ドットとを用いて表示面に表示を行う電気光学パネルと、
押圧された領域の位置を検出する入力用パネルと、
前記偏光層と前記入力用パネルとの間に設けられた光拡散層と
を有し、
前記入力用パネルは前記電気光学パネルの表示面に対して平行な面内に設けられた複数の溝を有し、
前記表示ドットの視認方向に沿った列と前記溝の稜線との成す角度をθとするとき、
０度＜θ≦２５度
または
６５度≦θ≦９０度
であることを特徴とする電気光学装置。
【請求項７】
請求項６記載の電気光学装置において、前記偏光層と前記拡散層とによって形成される光学要素のヘイズ値αは、
０％≦α≦５０％
であることを特徴とする電気光学装置。
【請求項８】
請求項１から請求項７のいずれか１つに記載の電気光学装置において、前記入力用パネルと前記電気光学パネルとの間に０．２ｍｍ以上の隙間を有することを特徴とする電気光学装置。
【請求項９】
請求項１から請求項８のいずれか１つに記載の電気光学装置を有することを特徴とする電子機器。
【発明の詳細な説明】
【技術分野】
【０００１】
本発明は、液晶表示装置等といった電気光学装置に関する。また、本発明は、その電気光学装置を用いて構成される電子機器に関する。
【背景技術】
【０００２】
現在、携帯電話機、携帯情報端末機等といった各種の電子機器では、当該電子機器に関する各種の情報を視覚的に表示するための表示部として、例えば、液晶表示装置等といった電気光学装置が用いられている。
【０００３】
上記の液晶表示装置は電気光学パネルとしての液晶パネルを有し、この液晶パネルは、例えば、それぞれが電極を備えた一対の基板の間に液晶層を介在させた構造を有する。この液晶表示装置では、例えば照明装置等によって液晶層に光を供給すると共に、該液晶層に印加される電圧を表示ドットごとに制御することにより、液晶層内の液晶分子の配向を表示ドットごとに制御する。液晶層へ供給された光は、液晶分子の配向状態に従って表示ドットごと変調され、この変調された光を偏光層の液晶側表面に供給することにより、その偏光層の観察側表面に文字、数字、図形等といった像が表示される。
【０００４】
なお、表示ドットは表示の単位となるドット領域のことであり、例えばＢ（青），Ｇ（緑），Ｒ（赤）の３原色によってカラー表示を行う場合はＢ，Ｇ，Ｒの３つの表示ドットによって１つの画素が形成され、白黒等といった２色によってモノカラー表示を行う場合は１つの表示ドットによって１つの画素が形成される。
【０００５】
上記の液晶表示装置として、入力手段としてタッチパネルを用いたものが知られている。このタッチパネルは、例えば、透光性のプラスチック等によって形成された基板と透光性のフィルムとが所定の隙間を設けた状態に貼り合わされて形成される。そして、このタッチパネルは、フィルムが表側面になるように液晶パネルの表示面上に設置される。これらの基板およびフィルムは互いに対向する面に電極を有している。フィルムを入力器具等で押圧すると、その位置において対向する電極同士が接触して電気的にショートする。このショートした位置に応じて電極間の電圧が変化することにより、フィルム上における押圧した位置を検出できる（例えば、特許文献１参照）。
【０００６】
【特許文献１】特開２００３−２５５８５５号公報（第６〜７頁、図１）
【発明の開示】
【発明が解決しようとする課題】
【０００７】
ところで、特許文献１に開示された液晶表示装置において、タッチパネルはフィルムと基板との間に隙間を設けているので、フィルムで反射する光と基板で反射する光とが干渉して表示面にニュートンリングが発生することがある。このニュートンリングの発生を抑えるため、この液晶表示装置に用いられるタッチパネルには、液晶パネルと反対側の基板の表面上に複数の溝を設けたものがある。
【０００８】
しかしながら、上記の液晶表示装置においては、液晶パネル内に設けられた複数の表示ドットが形成する列から出る光とタッチパネルに設けられた溝から出る光とが干渉して、干渉縞、いわゆるモアレが発生するおそれがあった。
【０００９】
本発明は、上記の問題点に鑑みて成されたものであって、マトリクス状に配列された複数の表示ドットを用いて形成した像を、複数の溝を備えた入力用パネル、例えばタッチパネルを介して表示する際に、表示される像に干渉縞が発生するのを防止することを目的とする。
【課題を解決するための手段】
【００１０】
本発明に係る第１の電気光学装置は、マトリクス状に配置された複数の表示ドットを用いて表示面に表示を行う電気光学パネルと、押圧された領域の位置を検出する入力用パネルとを有する。この電気光学装置において、前記入力用パネルは前記電気光学パネルの表示面に対して平行な面内に設けられた複数の溝を有し、前記表示ドットの視認方向に沿った列と前記溝の稜線との成す角度をθとするとき、
２５度≦θ≦６５度
であることを特徴とする。
【００１１】
上記の電気光学装置によれば、電気光学パネルの表示を視認する方向に沿った表示ドットの列と溝の稜線とのなす角度θを２５度≦θ≦６５度の範囲とした。これにより、電気光学パネル内に設けられた複数の表示ドットが形成する列から出る光と入力用パネルの溝から出る光が干渉することを防止できる。その結果、電気光学パネルの表示面における表示に干渉縞が発生することを防止できる。
【００１２】
次に、本発明に係る電気光学装置において、前記複数の溝は、前記表示面に表示される像にニュートンリングが発生することを防止する溝であることが望ましい。本発明の電気光学装置に用いられる入力用パネルは、透光性のフィルムと透光性の基板とを重ねた構造のパネルを用いることができる。このような入力用パネルは、フィルムと基板との間に隙間を有しており、フィルムで反射する光と基板で反射する光とが干渉することによりニュートンリングが発生するおそれがある。これに対し、入力用パネル内であって電気光学パネルの表示面に対して平行な面内に複数の溝を設ければ、表示面に表示される像にニュートンリングが発生することを防止できる。そして、ニュートンリングの発生を防止するための溝を設けた場合でも表示ドット列と入力用パネルの溝との成す角度θを２５度≦θ≦６５度の範囲内に設定すれば、干渉縞の発生を防止できる。
【００１３】
次に、本発明に係る電気光学装置において、前記電気光学パネルの表示の解像度をＳとするとき、
１００ｐｐｉ≦Ｓ≦３００ｐｐｉ
であることが望ましい。ここで“ｐｐｉ”とは“Pixel Per Inch”のことであり、対角の距離が１インチである平面の領域内に設けられる画素の数を表している。例えば、解像度が１００ｐｐｉであれば、対角の距離が１インチである領域内には１００個の画素が設けられる。
【００１４】
上記のように表示の解像度Ｓが１００ｐｐｉ≦Ｓ≦３００ｐｐｉの範囲内にあれば、電気光学パネル内に設けられた複数の表示ドットが形成する列から出る光と溝から出る光が干渉することを本発明によって確実に防止できる。その結果、電気光学パネルの表示面における表示に干渉縞が発生することを防止できる。
【００１５】
次に、本発明に係る電気光学装置において、前記電気光学パネルの解像度は２０２ｐｐｉであり、隣接する前記溝の稜線の間隔は４０μｍであり、前記表示ドットの視認方向に沿った列と前記溝の稜線とが成す角度θは３０度であることが望ましい。こうすれば、電気光学パネル内に設けられた複数の表示ドットが形成する列から出る光と溝から出る光が干渉することを確実に防止できる。その結果、電気光学パネルの表示面における表示に干渉縞が発生することを確実に防止できる。
【００１６】
次に、本発明に係る電気光学装置において、前記入力用パネルは、互いに対向する一対の電極を有し、該一対の電極を接触させることによって位置を検出する入力用パネルとすることができる。この入力用パネルにおいて、前記複数の溝は前記一対の電極よりも前記電気光学パネル側に設けられることが望ましい。こうすれば、ニュートンリングが発生することを確実に防止できる。
【００１７】
次に、本発明に係る第２の電気光学装置は、偏光層とマトリクス状に配置された複数の表示ドットとを用いて表示面に表示を行う電気光学パネルと、押圧された領域の位置を検出する入力用パネルと、前記偏光層と前記入力用パネルとの間に設けられた光拡散層とを有する。この電気光学パネルにおいて、前記入力用パネルは前記電気光学パネルの表示面に対して平行な面内に設けられた複数の溝を有し、前記表示ドットの視認方向に沿った列と前記溝の稜線との成す角度をθとするとき、
０度＜θ≦２５度
または
６５度≦θ≦９０度
であることを特徴とする。
【００１８】
上記第１の電気光学装置では、表示ドットの視認方向の列と溝の稜線との成す角度θを２５度≦θ≦６５度の範囲に形成することにより干渉縞の発生を防止している。この第１の電気光学装置において、０度＜θ≦２５度または６５≦θ≦９０度の範囲内では干渉縞の発生を防止できないかもしれない。これに対し、上記第２の電気光学装置では０度＜θ≦２５度または６５度≦θ≦９０の範囲内に溝を形成しても干渉縞の発生を防止できる構成にした。具体的には、電気光学パネルの表示面上に偏光層を設け、さらにその偏光層と導光体との間に光拡散層を設けた。
【００１９】
ここで言う偏光層は、ある一方向を向く直線偏光を透過させると共にそれ以外の偏光を吸収、分散等によって透過させないという機能を有する。また、光拡散層は、すなわちアンチグレア層であり、鏡面反射を低減させる機能を有する。この光拡散層は、例えば、偏光層を保護する保護フィルムであるＴＡＣ（トリアセチルセルロース：Triacetylcellulose）の表面に、直径３μｍ程度の球形の粒子を含有した樹脂を塗布することにより偏光層と一体に形成できる。また、光拡散層は、例えば光を通過させることのできる任意の層の表面に凹凸を設けることによって形成できる。
【００２０】
上記構成の第２の電気光学装置によれば、導光体と電気光学パネルの偏光層との間に光拡散層を設けたので、電気光学パネルの表示に供される光がその光拡散層によって拡散される。これにより、電気光学パネルの表示を視認する方向に沿った表示ドットの列と溝の稜線とがなす角度θが０度＜θ≦２５度または６５度≦θ≦９０の範囲であっても、電気光学パネル内に設けられた複数の表示ドットが形成する列から出る光と溝から出る光とが干渉することを防止できる。その結果、電気光学パネルの表示面に干渉縞が発生することを防止できる。
【００２１】
次に、本発明に係る第２の電気光学装置において、前記偏光層と前記光拡散層とによって形成される光学要素のヘイズ値αは、
０％≦α≦５０％
であることが望ましい。ヘイズ値は、光学的な特性としての光の拡散機能を示す物性値の１つである。光拡散層を備えた光学要素においては、このヘイズ値が大きいほど拡散機能が強くなる。拡散機能を強めれば、電気光学パネルの表示に干渉縞が発生することを防止できるが、拡散機能が強すぎると電気光学パネルの表示にぼけが生じることがある。
【００２２】
導光体と電気光学パネルとの間に光拡散層を設けた第２の電気光学装置において、偏光層と光拡散層から成る光学要素のヘイズ値を０％≦α≦５０％にすれば、電気光学パネルの表示にぼけが生じることがなくなる。そしてさらに、電気光学パネルの表示に干渉縞が発生することを確実に防止できる。
【００２３】
次に、本発明に係る電気光学装置は、前記入力用パネルと前記電気光学パネルとの間に０．２ｍｍ以上の隙間を有することが望ましい。電気光学パネルがその最外層に偏光層を有する場合には、その偏光層と入力用パネルとの間に０．２ｍｍ以上の隙間を有することが望ましい。本発明の電気光学装置において、入力用パネルは電気光学パネルを保護する保護パネルとしての機能を有することができる。しかしながら、入力用パネルを使用する際には、その入力用パネルが押圧されて撓むことがある。これにより、電気光学パネルの表示面と基板とが接触して電気光学パネルを損傷するおそれがある。
【００２４】
上記のように入力用パネルと電気光学パネルとの間に０．２ｍｍ以上の隙間を設ければ、入力用パネルが電気光学パネルに接触することを防止できる。これにより、入力用パネルは電気光学パネルを確実に保護できる。
【００２５】
次に、本発明に係る電子機器は、以上に記載した構成の電気光学装置を有することを特徴とする。本発明に係る電気光学装置は、電気光学パネルに設けられた複数の表示ドットの視認方向の列に対して入力用パネルの溝を傾斜させて形成することにより、電気光学パネルの表示に干渉縞が発生することを防止できる。従って、本発明に係る電子機器においてもその表示に干渉縞が発生することを防止できるので、鮮明な表示を行うことができる。
【発明を実施するための最良の形態】
【００２６】
（電気光学装置の第１実施形態）
以下、本発明を電気光学装置の一例である液晶表示装置に適用した場合を例に挙げて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素をわかり易く示すため、各要素を実際とは異なった相対的な寸法で示している。
【００２７】
図１は、本発明に係る電気光学装置の一実施形態である液晶表示装置を分解状態で示している。また、図２は、図１のＢ−Ｂ線に従った液晶表示装置の断面構造を示している。また、図３は、図２における１つの表示ドット近傍を拡大して示している。また、図４は、図３の液晶パネル２を矢印Ａ方向から見た場合であって、その液晶パネル２の表示ドットの構成を平面的に示している。
【００２８】
ここに挙げられた液晶表示装置は、２端子型のスイッチング素子であるＴＦＤ（Thin Film Diode）素子を用いたアクティブマトリクス方式であって、半透過反射型の液晶表示装置である。この液晶表示装置に関しては、矢印Ａが描かれた側が観察側である。
【００２９】
図１において、本実施形態の液晶表示装置１は、電気光学パネルとしての液晶パネル２と、この液晶パネル２に実装された半導体要素としての駆動用ＩＣ３と、照明装置４と、入力用パネルとしてのタッチパネル５とを有する。照明装置４は、矢印Ａが描かれている観察側から見て液晶パネル２の背面側に配置されてバックライトとして機能する。
【００３０】
照明装置４は、ＬＥＤ（Light Emitting Diode）等といった点状光源や、冷陰極管等といった線状光源等によって構成された光源６と、透光性の樹脂によって形成された導光体７とを有する。図２に示すように、矢印Ａで示す観察側から見て導光体７の背面側には、必要に応じて、光反射層８が設けられる。また、導光体７の観察側、すなわち光出射面７ｂには、必要に応じて、光拡散層９が設けられる。導光体７の光入射面７ａは図２の紙面垂直方向に延びており、光源６から発生した光はこの光入射面７ａを通して導光体７の内部へ導入され、そして光出射面７ｂから導光体７の外部へ出射される。
【００３１】
図１において、液晶パネル２は、素子基板１１とカラーフィルタ基板１２とを正方形又は長方形で枠状のシール材１３で貼り合わせることによって形成されている。素子基板１１とカラーフィルタ基板１２との間には、図３に示すように、間隙、いわゆるセルギャップＧが形成され、そのセルギャップＧ内に液晶が封入されて液晶層１４が形成されている。液晶としては、例えばＴＮ（Twisted Nematic）液晶を用いることができる。また、セルギャップＧは球状のスペーサ２０によって一定の間隔に維持されている。
【００３２】
図２において、素子基板１１は第１の透光性の基板１１ａを有する。この第１透光性基板１１ａは、例えば、透光性のガラス、透光性のプラスチック等によって形成されており、その１辺がカラーフィルタ基板１２の外側へ張り出して張出し部１７を形成している。この張出し部１７上には、駆動用ＩＣ３がＡＣＦ（Anisotropic Conductive Film：異方性導電膜）１５を用いて実装される。
【００３３】
第１透光性基板１１ａの外側表面には、偏光層としての偏光板１６ａが貼着等によって装着される。他方、第１透光性基板１１ａの内側表面には、図３に示すように、ライン配線１８が形成される。このライン配線１８は図３の左右方向に延びている。そして、スイッチング素子として機能する非線形抵抗素子である複数のＴＦＤ素子１９が、そのライン配線１８に接続して形成される。そしてさらに、それらのＴＦＤ素子１９に接続されて複数のドット電極２８ａが形成される。ドット電極２８ａは、例えばＩＴＯ（Indium Tin Oxide）等といった金属酸化物によって形成される。
【００３４】
ドット電極２８ａの上には配向膜２９ａが形成される。この配向膜２９ａは、例えばポリイミド等によって形成される。配向膜２９ａには配向処理、例えばラビング処理が施され、これにより、素子基板１１の近傍における液晶分子の初期配向が決められる。
【００３５】
図２において、素子基板１１に対向するカラーフィルタ基板１２は、矢印Ａで示す観察側から見て長方形又は正方形の第２の透光性の基板１２ａを有する。この第２透光性基板１２ａは、例えば、透光性のガラス、透光性のプラスチック等によって形成される。また、この第２透光性基板１２ａの外側表面には、偏光板１６ｂが、貼着等によって装着される。
【００３６】
図３において、第２透光性基板１２ａの内側表面には、樹脂層２３が形成され、その上に反射層２４が形成され、その上に複数の着色要素２５およびそれらを取り囲む遮光部材２６が形成され、その上にオーバーコート層２７が形成され、その上に紙面垂直方向へ直線的に延びる複数の帯状電極２８ｂが形成され、さらにその上に配向膜２９ｂが形成される。配向膜２９ｂには配向処理、例えばラビング処理が施され、これにより、カラーフィルタ基板１２の近傍における液晶分子の初期配向が決められる。
【００３７】
上記の樹脂層２３の表面には凹凸形状が形成されている。このため、その樹脂層２３上に積層された反射層２４は同じ凹凸形状を有する。この凹凸形状により、反射層２４で反射する光は拡散する。この反射層２４は、例えば、Ａｌ（アルミニウム）、Ａｌ合金等によって形成される。なお、樹脂層２３の表面に形成する凹凸形状を滑らかにしたい場合には、樹脂層２３を第１層及び第２層の２層構造によって形成し、第１層の表面に粗い凹凸形状を形成し、そしてその上に第２層を積層して凹凸形状を滑らかにするという方法を用いることもできる。
【００３８】
着色要素２５は、例えば、１つ１つが図３の矢印Ａ方向から見て長方形のドット状に形成され、１つの着色要素２５は、Ｂ（青）、Ｇ（緑）、Ｒ（赤）の３原色のいずれか１つの光を通す材料によって形成されている。これら各色の着色要素２５は、図４に示すように、平面的に見てストライプ配列に並べられている。これらの着色要素２５は、ストライプ配列に代えて、デルタ配列、モザイク配列、その他適宜の配列となるように並べることもできる。なお、着色要素２５は、Ｃ(シアン)、Ｍ（マゼンタ）、Ｙ(イエロー)の３原色によって形成することもできる。
【００３９】
図３の遮光部材２６は、例えばＣｒ（クロム）等といった遮光性の材料によって、複数の着色要素２５の間を埋める状態に形成される。この遮光部材２６は、ブラックマスクとして機能して着色要素２５を透過した光によって表示される像のコントラストを向上させる。なお、遮光部材２６は、Ｃｒ等といった特定の材料によって形成されることに限られず、例えば、着色要素２５を構成するＢ，Ｇ，Ｒの各着色要素を重ねること、すなわち積層することによっても形成することができる。
【００４０】
オーバーコート層２７は、例えば、アクリル樹脂、ポリイミド樹脂等といった感光性の樹脂によって形成される。図３の紙面垂直方向に帯状に延びる複数の電極２８ｂは、例えばＩＴＯ等といった金属酸化物によって形成される。また、その上に形成された配向膜２９ｂは、例えばポリイミド等によって形成される。
【００４１】
素子基板１１に設けられる複数の直線状のライン配線１８は、図４に示すように、全体としてストライプ状に設けられている。また、複数のＴＦＤ素子１９は個々のライン配線１８に適宜の間隔をおいて接続され、それらのＴＦＤ素子１９にドット電極２８ａが接続されている。
【００４２】
図３において素子基板１１に対向するカラーフィルタ基板１２に設けられる複数の帯状電極２８ｂは、図４に示すように、全体としてストライプ状に形成されている。これらの帯状電極２８ｂは、図２のようにカラーフィルタ基板１２と素子基板１１とをシール材１３によって貼り合わせたとき、ライン配線１８に対して直角の方向に延び、さらに、横列を成す複数のドット電極２８ａに平面的に重なり合う。このように、帯状電極２８ｂとドット電極２８ａとが重なり合う領域が、表示の最小単位である表示ドットを構成する。この表示ドットは図２、図３および図４において符号Ｄで示す領域である。複数の表示ドットＤが縦方向及び横方向に複数個、マトリクス状に並べられて表示領域Ｖが形成され、この表示領域に文字、数字、図形等といった像が表示される。
【００４３】
図４において、矢印Ｅで示す方向、すなわち複数の表示ドットＤが縦に並んだ方向が視認方向である。液晶表示装置１の表示を観察する観察者は、矢印Ｅが描かれている側から表示を観察する。液晶パネル２のうち観察者が表示を観察する面が表示面２１である。
【００４４】
上記の表示ドットＤには、それぞれに反射部Ｒと透過部Ｔとが形成され、反射部Ｒには反射層が備えられている。この反射層の形態としては、表示ドットＤ毎に反射層を形成した構成のものがある。この場合には、反射層が形成された領域を反射部Ｒとし、反射層が形成されていない領域を透過部とする。また、複数の表示ドットＤを含んで表示領域Ｖの全域に反射層を形成し、表示ドットＤ毎に開口部を形成した構成のものがある。この場合には、表示ドットＤ内の反射層が設けられている領域を反射部Ｒとし、開口部を透過部Ｔとする。本実施形態においては、表示ドットＤに開口部を形成する後者の形態を例示する。
【００４５】
図３において、反射層２４には個々の表示ドットＤに対応して開口４８が設けられる。これらの開口４８は、図４に示すように、平面的に見て長方形状に形成されている。個々の表示ドットＤの中で反射層２４が設けられた部分Ｒが反射部であり、開口４８が形成された部分Ｔが透過部である。図３において、矢印Ａが描かれた観察側から入射した外部光Ｌｏは、反射部Ｒで反射する。また、図２の照明装置４の導光体７から出射した光、すなわち図３の観察側の反対側から入射した光Ｌｓは、透過部Ｔを透過する。
【００４６】
また、本実施形態のように、Ｂ，Ｇ，Ｒの３色から成る着色要素２５を用いてカラー表示を行う場合は、Ｂ，Ｇ，Ｒの３色に対応する３つの着色要素２５に対応する３つの表示ドットＤによって１つの画素が形成される。他方、白黒又は任意の１色でモノカラー表示を行う場合は、１つの表示ドットＤによって１つの画素が形成される。
【００４７】
このような画素は、図１に示す液晶パネル２のシール材１３によって囲まれる領域内の全域に形成される。そして、液晶パネル２に形成された画素の密度は解像度Ｓで表すことができる。ここでいう解像度Ｓは、対角の距離が１インチである平面の領域内に設けられる画素の数を表している。例えば、解像度Ｓが１００ｐｐｉ（Pixel Per Inch）であれば、対角の距離が１インチである領域内には１００個の画素が設けられているということである。本実施形態において、液晶パネル２の表示の解像度Ｓは、１００ｐｐｉ≦Ｓ≦３００ｐｐｉの範囲に構成できる。
【００４８】
図２において、素子基板１１を構成する第１透光性基板１１ａの張出し部１７上に実装される駆動用ＩＣ３は、走査信号を出力する駆動用ＩＣ３と、データ信号を出力する駆動用ＩＣ３とによって構成されている。第１透光性基板１１ａの第１辺１１ｃすなわち入力側の辺には外部接続用端子４９が形成され、これらの端子４９は駆動用ＩＣ３の入力用端子につながる。
【００４９】
外部接続用端子４９には、図示しない配線基板、例えば可撓性配線基板が、ハンダ付け、ＡＣＦ、ヒートシール等といった導電接続手法によって接続される。この配線基板を介して、電子機器、例えば携帯電話機、携帯情報端末機から液晶表示装置１へ信号、電力等が供給される。
【００５０】
液晶パネル２を挟んで照明装置４の反対側にはタッチパネル５が配置される。このタッチパネル５は、矢印Ａで示す観察側に位置する前面側基板３１と、観察側から見て前面側基板３１の背面側に位置する背面側基板３２とを正方形又は長方形で枠状のシール材３３で貼り合せることによって形成されている。前面側基板３１は、例えば、透光性のプラスチック等を用いて厚さ０．１〜０．２ｍｍ程度のフィルム状に形成される。また、背面側基板３２は、例えば、透光性のガラス、透光性のプラスチック等によって形成される。
【００５１】
図１において、前面側基板３１の背面側基板３２に対向する面には、平板状の面電極３４ａが設けられ、さらにこの面電極３４ａの両端に、Ｙ方向に延びるように一対の低抵抗電極３５ａが設けられる。他方、背面側基板３２の前面側基板３１に対向する面には、平板状の面電極３４ｂが設けられ、さらにこの面電極３４ｂの両端に、Ｘ方向に延びるように一対の低抵抗電極３５ｂが設けられる。面電極３４ａおよび３４ｂは、タッチパネル５を液晶パネル２の観察側に配置した状態で、液晶パネル２の表示領域Ｖを覆うように設けられる。前面側基板３１において、面電極３４ａが設けられた領域が、入力者の指や入力器具（図示せず）によって押圧される領域である。
【００５２】
図２において、面電極３４ｂの面電極３４ａに対向する面上にはドット状の突起３７が複数個設けられる。この突起３７は、面電極３４ａと面電極３４ｂとの隙間を維持するためのスペーサとして機能する。また、背面側基板３２の辺３２ａ側の端部には外部接続用端子３９が形成される。この外部接続用端子３９には、図１に示すように、例えばＦＰＣ（Flexible Printed Circuit）等といった基板３０が接続される。この基板３０を介して、例えば入力制御回路（図示せず）が接続される。
【００５３】
上記の構造を有したタッチパネル５は、枠状の貼着部材３８を用いて液晶パネル２の表示面２１上に貼り付けられる。この貼着部材３８は、図２に示すように厚みＧ０を有している。したがって、貼着部材３８を用いて貼り付けたタッチパネル５と液晶パネル２との間には、隙間Ｇ０が形成される。本実施形態においては、０．２ｍｍ以上の隙間Ｇ０が設けられる。
【００５４】
以下、タッチパネル５の動作を説明する。図１において、基板３０を介して外部接続用端子３９に接続された入力制御回路（図示せず）によって、ある時点では、背面側基板３２の両端部に位置する低抵抗電極３５ｂ，３５ｂの間に所定の電圧を印加する。そして、前面側基板３１の両端部に位置する低抵抗電極３５ａ，３５ａの間には、入力制御回路内の電圧測定回路が導電接続される。
【００５５】
この時点において、背面側基板３２の面電極３４ｂには、Ｙ方向に沿って直線的に電圧が変化する均一な電圧降下が発生し、Ｙ方向の座標位置が等しい部位同士は略同じ電位となるような電圧分布が構成される。このとき液晶パネル２の表示領域Ｖに対応する領域内において前面側基板３１のある部位が押圧されると、前面側基板３１の面電極３４ａと背面側基板３２の面電極３４ｂとが接触する。これにより、前面側基板３１上の面電極３４ａを通して、押圧された部位に対応する位置における面電極３４ｂの電圧を入力制御回路によって測定することができる。この測定された電圧の値は、前面側基板３１が押圧された部位のＹ方向の座標位置と相関しているため、入力制御回路は押圧された部位のＹ方向の位置を検出できる。
【００５６】
これに対して、他のある時点では、入力制御回路によって前面側基板３１上のＸ方向の両端部に位置する低抵抗電極３５ａ，３５ａの間に所定の電圧が印加され、背面側基板３２のＹ方向の両端部に位置する低抵抗電極３５ｂ，３５ｂの間には電圧測定回路が接続された状態となる。
【００５７】
この時点において、前面側基板３１の面電極３４ａには、Ｘ方向に沿って均一な電圧降下が発生し、直線的に電圧が変化する電圧分布が形成される。上記の入力制御回路は、前面側基板３１が押圧された部位に対応する位置における前面側基板３１の面電極３４ａの電圧を背面側基板３２の面電極３４ｂを通して検出することができる。これにより、Ｙ方向に関する位置を検出する場合と同様に、押圧した部位のＸ方向の位置を検出できる。
【００５８】
上記した入力制御回路に対する２つの接続状態を短時間のうちに繰り返し切替えることによって、入力制御回路は、押圧された部位のＹ方向の位置座標およびＸ方向の位置座標を検出することができる。
【００５９】
以上のように構成された液晶表示装置１によれば、図２において、液晶表示装置１が明るい室外や明るい室内に置かれる場合は、太陽光や室内光等といった外部光を用いて反射型の表示が行われる。一方、液晶表示装置１が暗い室外や暗い室内に置かれる場合は、照明装置４をバックライトとして用いて透過型の表示が行われる。
【００６０】
反射型表示を行う場合、図３において、観察側である矢印Ａの方向から素子基板１１を通して液晶パネル２内へ入射した外部光Ｌｏは、液晶層１４を通過してカラーフィルタ基板１２内へ入った後、反射部Ｒにおいて反射層２４で反射して再び液晶層１４へ供給される。他方、透過型表示を行う場合、図２の照明装置４の光源６が点灯し、それからの光が導光体７の光入射面７ａから導光体７へ導入され、さらに、光出射面７ｂから面状の光として出射する。この出射光は、図３の符号Ｌｓで示すように透過部Ｔにおいて開口４８を通って液晶層１４へ供給される。
【００６１】
このようにして液晶層１４へ光が供給される間、素子基板１１側のドット電極２８ａとカラーフィルタ基板１２側の帯状電極２８ｂとの間には、走査信号およびデータ信号によって特定される所定の電圧が印加され、これにより、液晶層１４内の液晶分子の配向がＴＮ構造と垂直配向との間で表示用ドット領域Ｄごとに制御される。この結果、液晶層１４に供給された光が表示用ドット領域Ｄごとに変調される。この変調された光が、素子基板１１側の偏光板１６ａ（図２参照）を通過するとき、その偏光板１６ａの偏光特性に従って表示用ドット領域Ｄごとに通過を許容または通過を阻止される。これにより、素子基板１１の表面に文字、数字、図形等といった像が表示され、これが、矢印Ａ方向から視認される。
【００６２】
以下、本実施形態における液晶表示装置に用いられる入力用パネルとしてのタッチパネルについて詳しく説明する。図５は、図２の液晶表示装置１を矢印Ａ方向から平面的に示している。図２に示すように、タッチパネル５は、背面側基板３２の前面側基板３１側の面に複数の溝３６が形成される。これらの溝３６は、例えばその断面が波形状または三角形状に形成される。また、これらの溝３６は、図５に示すように、液晶パネル２の張り出し部１７側に位置する背面側基板３２の一辺３２ａに対して傾斜したパターンとして形成されている。また、これらの溝３６は、そのピッチ、すなわち隣接する溝３６の稜線３６ａの間隔Ｐを約４０μｍに形成することができる。
【００６３】
これらの溝３６が傾斜する角度は、表示面２１の視認方向である矢印Ｅ方向に沿って表示ドットＤが並ぶ列と溝３６の稜線３６ａとの成す角度θによって規定される。本実施形態において、角度θは、表示ドットＤが並ぶ列に平行なときを０度とし、背面側基板３２の辺３２ａに平行なときを９０度とする。このような溝３６のパターンは、タッチパネル５の背面側基板３２を、例えば樹脂を材料とする成形加工によって形成する際に同時に形成できる。
【００６４】
これら複数の溝３６は、表示面２１に表示される像にニュートンリングが発生することを防止するために設けられている。図２に示すタッチパネル５は、透光性の前面側基板３１と透光性の背面側基板３２とを重ねた構造を有している。このようなタッチパネル５は、前面側基板３１と背面側基板３２との間に隙間を有しており、前面側基板３１で反射する光と背面側基板３２で反射する光とが干渉することによりニュートンリングが発生するおそれがある。これに対し、液晶パネル２の表示面２１に対して平行な面内である背面側基板３２の前面側基板３１側の面に複数の溝３６を設ければ、表示面２１に表示される像にニュートンリングが発生することを防止できる。
【００６５】
ところで、背面側基板３２に溝３６を有した上記のようなパネルをタッチパネル５として液晶表示装置１に付設した場合には、液晶パネル２内に設けられた複数の表示ドットＤが形成する列から出る光と、溝３６から出る光とが干渉する場合がある。この場合には、液晶パネルの表示面に表示される像に干渉縞が発生するおそれがあった。
【００６６】
このことに関し、本実施形態では、図５に示すように、表示の視認方向である矢印Ｅ方向に沿った表示ドットＤの列と溝３６の稜線３６ａとの成す角度を２５度≦θ≦６５度の範囲とした。これは、図５においてθ１で示す角度範囲である。これにより、液晶パネル２内に設けられた複数の表示ドットＤが形成する列から出る光と溝３６から出る光が干渉することを防止できる。その結果、液晶パネル２の表示面２１における表示に干渉縞が発生することを防止できる。
【００６７】
なお、本実施形態では、溝３６が傾斜する方向が、表示の視認方向である矢印Ｅ方向から見て右肩上がりである場合を例示した。しかしながら、溝３６が傾斜する方向は、矢印Ｅ方向からみて左肩上がりであっても良い。すなわち、液晶パネル２の表示を視認する方向である矢印Ｅに沿った表示ドットＤの列と溝３６の稜線３６ａとの成す角度θが、図５のθ１’（但し、１１５度≦θ１’≦１５５度）の範囲であっても良い。この場合においても、液晶パネル２内に設けられた複数の表示ドットＤが形成する列から出る光と溝３６から出る光が干渉することを防止できる。その結果、液晶パネル２の表示面２１における表示に干渉縞が発生することを防止できる。
【００６８】
また、タッチパネル５は、図２に示すように、液晶パネル２との間に０．２ｍｍ以上の隙間Ｇ０を有した状態で設置されている。本実施形態では、液晶パネル２がその最外層に偏光板１６ａを有しているので、その偏光板１６ａとタッチパネル５との間に０．２ｍｍ以上の隙間Ｇ０を有している。液晶表示装置１において、タッチパネル５は液晶パネル２を保護する保護パネルとしての機能を有することができる。しかしながら、タッチパネル５を使用する際には、前面側基板３１が押圧されることにより、その前面側基板３１と接触した背面側基板３２も共に撓むことがある。これにより、液晶パネル２の表示面２１と背面側基板３２とが接触して液晶パネル２を損傷するおそれがある。
【００６９】
上記のようにタッチパネル５と液晶パネル２との間に０．２ｍｍ以上の隙間Ｇ０を設ければ、タッチパネル５の背面側基板３２が液晶パネル２に接触することを防止できる。これにより、タッチパネル５は液晶パネル２を確実に保護できる。
【００７０】
（電気光学装置の第２実施形態）
図６は、本発明に係る電気光学装置の他の実施形態である液晶表示装置５１を示している。ここに示す液晶表示装置５１が図２に示した先の実施形態と異なる点は、図６の液晶パネル５２において、表示面２１側の偏光板１６ａとタッチパネル５との間に光拡散層としてのアンチグレア層４１を設けたことである。また、本実施形態では、アンチグレア層４１を設けたことに関連して、タッチパネル５の背面側基板３２の表面に設ける複数の溝３６の配列に後述のような改変を加えている。なお、図６に示す実施形態において、図２に示した実施形態の場合と同じ要素は同じ符号を付して示すことにして、詳しい説明は省略することにする。
【００７１】
図７は、図６の偏光板１６ａの断面構造を示している。本実施形態において、偏光板１６ａは、図７に示すように、光を偏光する偏光子４３と、その偏光子４３の両面にそれぞれ設けられる保護フィルム４２ａおよび４２ｂとを有する。これらの保護フィルム４２ａ，４２ｂは、例えば、ＴＡＣ（トリアセチルセルロース：Triacetylcellulose）によって形成できる。
【００７２】
第１透光性基板１１ａ（図６参照）に近く配置される側の保護フィルム４２ｂの外側表面には粘着層４４が設けられる。この粘着層４４が図６の液晶パネル５２の表面に貼り付けられる。また、図７において、他方の保護フィルム４２ａの外側表面には、光拡散層としてのアンチグレア層４１が設けられる。このアンチグレア層４１は、例えば、保護フィルム４２ａの表面に、直径３μｍ程度の球形の粒子４５を複数含有した樹脂を塗布することにより形成できる。
【００７３】
以上ように形成された偏光板１６ａは、ある一方向を向く直線偏光を透過させると共にそれ以外の偏光を吸収、分散等によって透過させないという機能を有する。そして、偏光板１６ａの表面に設けられるアンチグレア層４１は、複数の粒子４５を含有することにより表面に微細な凹凸形状が形成される。この凹凸形状により、アンチグレア層４１を通過した光は適宜に拡散される。なお、アンチグレア層４１は、例えば光を通過させることのできる任意の層の表面に凹凸を設けることによって形成することもできる。
【００７４】
上記構成の液晶表示装置５１によれば、図６の偏光板１６ａを挟んで液晶パネル５２の反対側にアンチグレア層４１を設けた。そしてさらに、図５に示すように、表示の視認方向である矢印Ｅ方向に沿った表示ドットＤの列と溝３６の稜線３６ａとの成す角度θを０度＜θ≦２５度または６５度≦θ≦９０度の範囲とした。これは、図５においてθ２またはθ３で示す角度範囲である。これにより、液晶パネル５２内に設けられた複数の表示ドットＤが形成する列から出る光と溝３６から出る光が干渉することを防止できる。その結果、図６の液晶パネル５２の表示面２１における表示に干渉縞が発生することを防止できる。
【００７５】
なお、本実施形態では、溝３６が傾斜する方向が、表示の視認方向である矢印Ｅ方向から見て右肩上がりである場合を例示した。しかしながら、溝３６が傾斜する方向は、矢印Ｅ方向からみて左肩上がりであっても良い。すなわち、液晶パネル５２の表示を視認する方向である矢印Ｅに沿った表示ドットＤの列と溝３６の稜線３６ａとの成す角度θが、図５のθ２’（但し、１５５度≦θ２’＜１８０度）の範囲、またはθ３’（但し、９０度≦θ３’≦１１５度）の範囲であっても良い。これらの場合においても、液晶パネル５２内に設けられた複数の表示ドットＤが形成する列から出る光と溝３６から出る光が干渉することを防止できる。その結果、液晶パネル５２の表示面２１における表示に干渉縞が発生することを防止できる。
【００７６】
また、図７において、偏光板１６ａとアンチグレア層４１から成る光学要素は、そのヘイズ値αを０％≦α≦５０％とした。このヘイズ値αは、光学的な特性としての光の拡散機能を示す物性値の１つである。上記の光学要素においては、このヘイズ値αが大きいほど拡散機能が強くなる。拡散機能を強めれば、液晶パネル５２の表示に干渉縞が発生することを防止できるが、拡散機能が強すぎると液晶パネル５２の表示にぼけが生じることがある。偏光板１６ａとアンチグレア層４１から成る光学要素のヘイズ値を０％≦α≦５０％にすれば、液晶パネル５２の表示にぼけが生じることがなくなる。そしてさらに、液晶パネル５２の表示に干渉縞が発生することを確実に防止できる。
【００７７】
（電気光学装置の第３実施形態）
以下、本発明に係る電気光学装置を、スイッチング素子としてアモルファスシリコンＴＦＴ（Thin Film Transistor）素子を用いるアクティブマトリクス方式であって、透過型であって、さらにカラー表示が可能である液晶表示装置に適用した場合を例に挙げて説明する。なお、本発明がその実施形態に限定されるものでないことは、もちろんである。また、図２に示した液晶表示装置１で用いられる要素と同じ要素については、説明の重複を避けるために詳しい説明を省略する。
【００７８】
図８において、本実施形態の液晶表示装置６１は、液晶パネル６２と、この液晶パネル６２に実装された半導体要素としての駆動用ＩＣ６３と、照明装置６４と、入力用パネルとしてのタッチパネル５を有する。照明装置６４は、矢印Ａが描かれている観察側から見て液晶パネル６２の背面側に配設されてバックライトとして機能する。
【００７９】
照明装置６４は、ＬＥＤ等といった点状光源や、冷陰極管等といった線状光源等によって構成された光源６６と、透光性の樹脂によって形成された導光体６７とを有する。観察側から見て導光体６７の背面側には、必要に応じて、光反射層６８が設けられる。また、導光体６７の観察側には、必要に応じて、光拡散層６９が設けられる。導光体６７の光入射面６７ａは図８の紙面垂直方向に延びており、光源６６から発生した光はこの光入射面６７ａを通して導光体６７の内部へ導入される。
【００８０】
液晶パネル６２は、素子基板７１とカラーフィルタ基板７２とをシール材７３で貼り合わせることによって形成される。シール材７３は、矢印Ａ方向から見て正方形又は長方形の枠状に形成されている。素子基板７１とカラーフィルタ基板７２との間に形成されたセルギャップ内には電気光学物質としての液晶、例えばＴＮ液晶が封入されて液晶層７４が形成されている。セルギャップは、例えば円柱形状を有したフォトスペーサ８０によって一定の間隔に保持される。
【００８１】
素子基板７１は矢印Ａで示す観察側から見て長方形または正方形の第１の透光性の基板７１ａを有する。この第１透光性基板７１ａは、例えば透光性のガラス、透光性のプラスチック等によって形成される。また、この第１透光性基板７１ａの外側表面には、偏光板７６ｂが貼着等によって装着される。
【００８２】
第１透光性基板７１ａの内側表面には、アクティブ素子又はスイッチング素子又は非線形抵抗素子としてのＴＦＴ素子７９が複数個設けられ、さらに、個々のＴＦＴ素子７９にドット電極８８ａが付設される。複数のドット電極８８ａは、例えばＩＴＯを材料としてフォトエッチング処理によって形成され、観察側から見てドットマトリクス状に並ぶ。
【００８３】
ＴＦＴ素子７９及びドット電極８８ａの上には配向膜８９ａが形成される。そして、この配向膜８９ａに配向処理、例えばラビング処理が施され、これにより、その配向膜８９ａの近傍の液晶分子の初期配向が決められる。配向膜８９ａは、例えば、ポリイミド溶液を塗布及び焼成して形成したり、オフセット印刷によって形成したりする。
【００８４】
本実施形態で用いるＴＦＴ素子７９はアモルファスシリコンＴＦＴであり、このＴＦＴ素子７９は、図９に示すように、ゲート電極９６、ゲート絶縁膜９７、ａ−Ｓｉ（アモルファスシリコン）等によって形成された半導体層９８、ソース電極９９、そしてドレイン電極９５を有する。ドレイン電極９５は、その一端が半導体層９８に接続し、その他端がドット電極８８ａに接続する。ソース電極９９は図９の紙面垂直方向に延びるソース電極線９９’の一部として形成されている。また、ゲート電極９６は、ソース電極線９９’と直角の方向すなわち図９の左右方向に延びるゲート電極線９６’から延びている。
【００８５】
図８に戻って、素子基板７１に対向するカラーフィルタ基板７２は、矢印Ａで示す観察側から見て長方形または正方形の第２の透光性の基板７２ａを有する。この第２透光性基板７２ａは、例えば透光性のガラス、透光性のプラスチック等によって形成される。また、この第２透光性基板７２ａの外側表面には、偏光層としての偏光板７６ａが貼着等によって装着される。
【００８６】
第２透光性基板７２ａの内側表面には、遮光部材８６が矢印Ａ方向から見て格子状に設けられる。そして、この遮光部材８６によって囲まれる複数の空間内に着色要素８５が設けられる。複数の着色要素８５はＢ，Ｇ，Ｒ又はＣ，Ｍ，Ｙのいずれかに着色され、それらの着色要素８５は矢印Ａ方向から見て所定の配列、例えばストライプ配列、モザイク配列、デルタ配列に配列されている。
【００８７】
遮光部材８６及び着色要素８５の上にはオーバーコート層８７が設けられ、その上に共通電極８８ｂが設けられ、さらにその上に配向膜８９ｂが設けられる。共通電極８８ｂは、例えば、ＩＴＯを材料としてフォトエッチング処理によって形成される。この共通電極８８ｂは第２透光性基板７２ａ上に一様な厚さで形成された面状電極である。上記の配向膜８９ｂには配向処理、例えばラビング処理が施され、これにより、その配向膜８９ｂの近傍の液晶分子の初期配向が決められる。
【００８８】
オーバーコート層８７は、例えば、エポキシ系又はアクリル系の樹脂材料を塗布及び焼成して形成したり、あるいは、必要に応じて、エポキシ系又はアクリル系の樹脂材料にフォトリソグラフィー処理を施すことによって形成される。また、配向膜８９ｂは、例えば、ポリイミド溶液を塗布及び焼成して形成したり、オフセット印刷によって形成したりする。
【００８９】
次に、素子基板７１上に形成された複数のドット電極８８ａは矢印Ａ方向から見てドットマトリクス状に配列する。これらのドット電極８８ａは矢印Ａ方向から見て共通電極８８ｂと重なっている。このようにドット電極８８ａと共通電極８８ｂとが重なる領域は表示のための最小領域である表示用ドットＤを構成する。カラーフィルタ基板７２上の個々の着色要素８５は表示用ドットＤに対応して設けられている。着色要素８５を用いない白黒表示の場合は１つの表示用ドットＤによって１つの画素が形成されるが、本実施形態のように３色の着色要素８５を用いてカラー表示を行う構造の場合には、Ｂ，Ｇ，Ｒの３色の着色要素８５の集まりによって１つの画素が形成される。
【００９０】
素子基板７１はカラーフィルタ基板７２の外側へ張り出して、張出し部７７を構成している。液晶駆動用ＩＣ６３はこの張出し部７７の表面に実装されている。この実装は、例えば、ＡＣＦ７５を用いたＣＯＧ技術を用いて行うことができる。張出し部７７の表面には、複数の配線７８及び複数の外部接続端子８３がフォトエッチング処理によって形成される。複数の配線７８の一部は、素子基板７１上のソース電極線９９’（図９参照）及びゲート電極線９６’に直接につながっている。また、複数の配線７８の残りの一部は、シール材７３の内部に分散されている導通材８４を介してカラーフィルタ基板７２側の共通電極８８ｂにつながっている。
【００９１】
以上のように構成された液晶表示装置６１によれば、図８において、照明装置６４の光源６６が点灯すると、それからの光が導光体６７の光入射面６７ａから導光体６７へ導かれ、さらに、光出射面６７ｂから面状の光として出射する。そして、この出射光が素子基板７１を透過して液晶層７４へ供給される。
【００９２】
こうして液晶層７４へ光が供給される間、素子基板７１側のドット電極８８ａとカラーフィルタ基板７２側の共通電極８８ｂとの間には、走査信号及びデータ信号によって規定される所定の電圧が表示用ドット領域Ｄごとに印加され、これにより、液晶層７４内の液晶分子の配向がＴＮ構造と垂直配向との間で表示用ドットＤごとに制御され、この結果、液晶層７４に供給された光が表示用ドットＤごとに変調される。この変調された光が、偏光板７６ｂを通過するとき、偏光板７６ｂの偏光特性に従って表示用ドットＤごとに通過を許容又は通過を阻止され、これにより、カラーフィルタ基板７２の表面に文字、数字、図形等といった像が表示され、これが、矢印Ａ方向から視認される。このとき、遮光部材８６は、表示ドットＤの間から光が漏れることを防止するためのブラックマスクとして機能する。
【００９３】
以上に説明した液晶表示装置６１に用いられるタッチパネル５は、図２に示す液晶表示装置１および図６示す液晶表示装置５１に用いられるタッチパネル５と同じである。すなわち、図８に示すように、タッチパネル５は、背面側基板３２の前面側基板３１側の面に複数の溝３６が形成される。これらの溝３６は、例えばその断面が波形状または三角形状に形成される。また、これらの溝３６は、図５に示すように、液晶パネル２の張り出し部１７側に位置する背面側基板３２の一辺３２ａに対して傾斜したパターンに形成されている。
【００９４】
これらの溝３６が傾斜する角度は、表示面８１の視認方向である矢印Ｅ方向に沿って表示ドットＤが並ぶ列と溝３６の稜線３６ａとの成す角度θによって規定される。本実施形態において、角度θは、表示ドットＤが並ぶ列に平行なときを０度とし、背面側基板３２の辺３１ａに平行なときを９０度とする。このような溝３６のパターンは、タッチパネル５の背面側基板３２を成形加工によって形成する際に同時に形成できる。
【００９５】
ところで、背面側基板３２に溝３６を有した上記のようなパネルをタッチパネル５として液晶表示装置６１に付設した場合には、液晶パネル６２内に設けられた複数の表示ドットＤが形成する列から出る光と、溝３６から出る光とが干渉する場合がある。この場合には、液晶パネル７２の表示面８１に表示される像に干渉縞が発生するおそれがあった。
【００９６】
このことに関し、本実施形態では、表示の視認方向である矢印Ｅ方向に沿った表示ドットＤの列と溝３６の稜線３６ａとの成す角度を２５度≦θ≦６５度の範囲とした。これは、図５においてθ１で示す角度範囲である。これにより、液晶パネル６２内に設けられた複数の表示ドットＤが形成する列から出る光と溝３６から出る光が干渉することを防止できる。その結果、液晶パネル６２の表示面８１における表示に干渉縞が発生することを防止できる。
【００９７】
なお、本実施形態では、溝３６が傾斜する方向が、表示の視認方向である矢印Ｅ方向から見て右肩上がりである場合を例示した。しかしながら、溝３６が傾斜する方向は、矢印Ｅ方向からみて左肩上がりであっても良い。すなわち、液晶パネル６２の表示を視認する方向である矢印Ｅに沿った表示ドットＤの列と溝３６の稜線３６ａとの成す角度θが、図５のθ１’（但し、１１５度≦θ１’≦１５５度）の範囲であっても良い。この場合においても、液晶パネル６２内に設けられた複数の表示ドットＤが形成する列から出る光と溝３６から出る光が干渉することを防止できる。その結果、液晶パネル６２の表示面８１における表示に干渉縞が発生することを防止できる。
【００９８】
（電気光学装置の第４実施形態）
図１０は、本発明に係る電気光学装置の他の実施形態である液晶表示装置１０１を示している。ここに示す液晶表示装置１０１が図８に示した第３の実施形態と異なる点は、図１０の液晶パネル１０２において、表示面８１側の偏光板７６ａとタッチパネル５との間に光拡散層としてのアンチグレア層９１を設けたことである。また、本実施形態では、アンチグレア層９１を設けたことに関連して、タッチパネル５の背面側基板３２の表面に設ける複数の溝３６の配列に後述のような改変を加えている。なお、図１０に示す実施形態において、図８に示した実施形態の場合と同じ要素は同じ符号を付して示すことにして、詳しい説明は省略することにする。
【００９９】
図１０のアンチグレア層９１は、図６のアンチグレア層４１と同じである。すなわち、図７に示すように、偏光板７６ａは、光を偏光する偏光子４３と、その偏光子４３の両面にそれぞれ設けられる保護フィルム４２ａおよび４２ｂとを有する。これらの保護フィルム４２ａ，４２ｂは、例えば、ＴＡＣ（トリアセチルセルロース：Triacetylcellulose）によって形成できる。
【０１００】
第１透光性基板７２ａ（図１０参照）に近く配置される側の保護フィルム４２ｂの外側表面には粘着層４４が設けられる。この粘着層４４が図１０の液晶パネル１０２の表面に貼り付けられる。また、図７において、他方の保護フィルム４２ａの外側表面に、光拡散層としてのアンチグレア層９１が設けられる。このアンチグレア層９１は、例えば、保護フィルム４２ａの表面に、直径３μｍ程度の球形の粒子４５を複数含有した樹脂を塗布することにより形成できる。
【０１０１】
以上ように形成された偏光板７６ａは、ある一方向を向く直線偏光を透過させると共にそれ以外の偏光を吸収、分散等によって透過させないという機能を有する。そして、偏光板７６ａの表面に設けられるアンチグレア層９１は、複数の粒子４５を含有することにより表面に微細な凹凸形状が形成される。この凹凸形状により、アンチグレア層９１を通過した光は適宜に拡散される。なお、アンチグレア層９１は、例えば光を通過させることのできる任意の層の表面に凹凸を設けることによって形成することもできる。
【０１０２】
上記構成の液晶表示装置１０１によれば、図１０の偏光板７６ａを挟んで液晶パネル１０２の反対側にアンチグレア層９１を設けた。そしてさらに、図５に示すように、表示の視認方向である矢印Ｅ方向に沿った表示ドットＤの列と溝３６の稜線３６ａとの成す角度θを０度＜θ≦２５度または６５度≦θ≦９０度の範囲とした。これは、図５においてθ２またはθ３で示す角度範囲である。これにより、液晶パネル１０２内に設けられた複数の表示ドットＤが形成する列から出る光と溝３６から出る光が干渉することを防止できる。その結果、図１０の液晶パネル１０２の表示面８１における表示に干渉縞が発生することを防止できる。
【０１０３】
なお、本実施形態では、図５に示すように、溝３６が傾斜する方向が、表示の視認方向である矢印Ｅ方向から見て右肩上がりである場合を例示した。しかしながら、溝３６が傾斜する方向は、矢印Ｅ方向からみて左肩上がりであっても良い。すなわち、液晶パネル１０２の表示を視認する方向である矢印Ｅに沿った表示ドットＤの列と溝３６の稜線３６ａとの成す角度θが、図５のθ２’（但し、１５５度≦θ２’＜１８０度）の範囲、またはθ３’（但し、９０度≦θ３’≦１１５度）の範囲であっても良い。これらの場合においても、液晶パネル１０２内に設けられた複数の表示ドットＤが形成する列から出る光と溝３６から出る光が干渉することを防止できる。その結果、液晶パネル１０２の表示面８１における表示に干渉縞が発生することを防止できる。
【０１０４】
また、図７において、偏光板７６ａとアンチグレア層９１から成る光学要素は、そのヘイズ値αを０％≦α≦５０％とした。このヘイズ値αは、光学的な特性としての光の拡散機能を示す物性値の１つである。上記光学要素においては、このヘイズ値αが大きいほど拡散機能が強くなる。拡散機能を強めれば、液晶パネル１０２の表示に干渉縞が発生することを防止できるが、拡散機能が強すぎると液晶パネル１０２の表示にぼけが生じることがある。偏光板７６ａとアンチグレア層９１から成る光学要素のヘイズ値を０％≦α≦５０％にすれば、液晶パネル１０２の表示にぼけが生じることがなくなる。そしてさらに、液晶パネル１０２の表示に干渉縞が発生することを確実に防止できる。
【０１０５】
（その他の実施形態）
以上、好ましい実施形態を挙げて本発明を説明したが、本発明はその実施形態に限定されるものでなく、請求の範囲に記載した発明の範囲内で種々に改変できる。
【０１０６】
上記の実施形態において、タッチパネル５の溝３６は、図２に示すように、背面側基板３２の観察側面に設けている。しかしながら、溝３６は液晶パネル２の表示面２１に平行な面であれば他の面に設けることもできる。例えば、溝３６は、前面側基板３１の観察側面、前面側基板３１の観察側の反対面、または背面側基板３２の液晶パネル２に対向する面に設けることもできる。
【０１０７】
また、図９に示した実施形態では、スイッチング素子としてアモルファスシリコンＴＦＴ素子を例示したが、アモルファスシリコンに限らずポリシリコンを用いたＴＦＴ素子でも良い。
【０１０８】
また、上記実施形態では電気光学装置として液晶表示装置を例示したが、本発明は、有機ＥＬ装置、無機ＥＬ装置、プラズマディスプレイ装置、電気泳動ディスプレイ装置、フィールドエミッションディスプレイ装置（すなわち、電界放出表示装置）等といった各種の電気光学装置にも適用できる。
【０１０９】
（電子機器の実施形態）
以下、本発明に係る電子機器を実施形態を挙げて説明する。なお、この実施形態は本発明の一例を示すものであり、本発明はこの実施形態に限定されるものではない。
【０１１０】
図１１は、本発明に係る電子機器の一実施形態を示している。ここに示す電子機器は、液晶表示装置１１１と、これを制御する制御回路１１０とを有する。制御回路１１０は、表示情報出力源１１４、表示情報処理回路１１５、電源回路１１６及びタイミングジェネレータ１１７によって構成される。そして、液晶表示装置１１１は液晶パネル１１２及び駆動回路１１３を有する。
【０１１１】
表示情報出力源１１４は、ＲＡＭ(Random Access Memory)等といったメモリや、各種ディスク等といったストレージユニットや、ディジタル画像信号を同調出力する同調回路等を備え、タイミングジェネレータ１１７により生成される各種のクロック信号に基づいて、所定フォーマットの画像信号等といった表示情報を表示情報処理回路１１５に供給する。
【０１１２】
次に、表示情報処理回路１１５は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１１３へ供給する。ここで、駆動回路１１３は、走査線駆動回路やデータ線駆動回路と共に、検査回路等を総称したものである。また、電源回路１１６は、上記の各構成要素に所定の電源電圧を供給する。
【０１１３】
液晶表示装置１１１は、例えば、図２に示した液晶表示装置１、図６に示した液晶表示装置５１、図８に示した液晶表示装置６１、または図１０に示した液晶表示装置１０１を用いて構成できる。液晶表示装置１，５１，６１，１０１においては、液晶パネルに設けられた複数の表示ドットの視認方向の列に対して入力用パネルであるタッチパネルの溝を傾斜させて形成することにより、液晶パネルの表示に干渉縞が発生することを防止できる。従って、この液晶表示装置を用いた電子機器においてもその表示に干渉縞が発生することを防止できるので、鮮明な表示を行うことができる。
【０１１４】
図１２は、本発明に係る電子機器の他の実施形態である携帯電話機を示している。ここに示す携帯電話機１２０は、本体部１２１と、これに開閉可能に設けられた表示体部１２２とを有する。液晶表示装置等といった電気光学装置によって構成された表示装置１２３は、表示体部１２２の内部に配置され、電話通信に関する各種表示は、表示体部１２２において表示画面１２４によって視認できる。本体部１２１には操作ボタン１２６が配列されている。
【０１１５】
表示体部１２２の一端部にはアンテナ１２７が伸縮自在に取付けられている。表示体部１３２の上部に設けられた受話部１２８の内部には、図示しないスピーカが配置される。また、本体部１２１の下端部に設けられた送話部１２９の内部には図示しないマイクが内蔵されている。表示装置１２３の動作を制御するための制御部は、携帯電話機の全体の制御を司る制御部の一部として、又はその制御部とは別に、本体部１２１又は表示体部１２２の内部に格納される。
【０１１６】
表示装置１２３は、例えば、図２に示した液晶表示装置１、図６に示した液晶表示装置５１、図８に示した液晶表示装置６１、または図１０に示した液晶表示装置１０１を用いて構成できる。液晶表示装置１，５１，６１，１０１においては、液晶パネルに設けられた複数の表示ドットの視認方向の列に対して入力用パネルであるタッチパネルの溝を傾斜させて形成することにより、液晶パネルの表示に干渉縞が発生することを防止できる。従って、この液晶表示装置を用いた図１２の携帯電話機１２０においてもその表示に干渉縞が発生することを防止できるので、鮮明な表示を行うことができる。
【０１１７】
（変形例）
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【実施例１】
【０１１８】
次に、本発明者は、液晶表示装置にアンチグレア層を設けない場合、すなわち図２に示す本発明の液晶表示装置１および図８に示す本発明の液晶表示装置６１に関して、図５に示す表示の視認方向である矢印Ｅ方向に沿った表示ドットＤの列と溝３６の稜線３６ａとの成す角度θが、（ａ）２５度以下、（ｂ）２５度〜３０度、（ｃ）３０度〜６０度、（ｄ）６０度〜６５度、（ｅ）６５度〜９０度である４種類のタッチパネル５を用意した。また、本発明者は、液晶表示装置にアンチグレア層を設ける場合、すなわち図６に示す本発明の液晶表示装置５１および図１０に示す本発明の液晶表示装置１０１に関して、図５に示す角度θが（ｆ）２５度以下、（ｇ）６５度〜９０度であるタッチパネル５を用意した。
【０１１９】
上記（ａ）〜（ｇ）の７種類のタッチパネルを用いた液晶表示装置を作動させて表示を行い、各表示を目視によって観察し、それぞれの表示における干渉縞の有無に関する評価を行った。この評価の結果、表１に示す結果が得られた。表１中の記号については、「◎」は干渉縞が全く無い場合であり、「○」は干渉縞がほとんど無く実用的に問題のない場合であり、「×」は干渉縞が有り実用的に使用不可能な場合である。
【０１２０】
【表１】
2006162922.tif 000003
【０１２１】
表１の結果から明らかな通り、タッチパネルの傾斜角度θが３０度〜６０度の範囲である場合、干渉縞が全く発生せず良好な表示が得られることが分かった。角度θをこれより小さくすると干渉縞が発生するが、角度θが２５度〜３０度の範囲であれば実用的に問題のない表示が得られた。さらに角度θが２５度以下では、干渉縞によって実用的な表示が得られなかった。また、角度θを６０度より大きくした場合も干渉縞が発生するが、角度θが６０度〜６５度の範囲であれば実用的に問題のない表示が得られた。さらに角度θが６５度以上では、干渉縞によって実用的な表示が得られなかった。しかしながら、角度θが０度〜２５度および６５度〜９０度の場合、アンチグレア層を設けることにより実用上、支障の無い表示を得ることができた。
【実施例２】
【０１２２】
次に、本発明者は、液晶表示装置にアンチグレア層を設けない場合、すなわち図２に示す本発明の液晶表示装置１および図８に示す本発明の液晶表示装置６１に関して、液晶パネル２，６２の解像度Ｓ、図５に示すタッチパネル５の隣接する溝３６の稜線３６ａの間隔Ｐ、表示ドットＤの視認方向Ｅに沿った列と溝３６の稜線３６ａとの成す角度θとするとき、
Ｓ＝２０２ｐｐｉ
Ｐ＝４０μｍ
θ＝３０度
である液晶表示装置を作成し、それらの液晶表示装置の表示を観察した。その観察の結果、干渉縞が全く発生せず、最も良好な表示が得られることが分かった。
【図面の簡単な説明】
【０１２３】
【図１】本発明に係る電気光学装置の一実施形態を示す分解斜視図である。
【図２】図１のＢ−Ｂ線に従った電気光学装置の断面図である。
【図３】図２に示す電気光学装置の要部を示す断面図である。
【図４】図３の矢印Ａに従って液晶表示装置の画素構成を示す平面図である。
【図５】図２の矢印Ａに従って溝と表示ドットの関係を示す平面図である。
【図６】本発明に係る電気光学装置の他の実施形態を示す断面図である。
【図７】図２に示す偏光板の一実施形態を示す断面図である。
【図８】本発明に係る電気光学装置のさらに他の実施形態を示す断面図である。
【図９】図８に示す電気光学装置の要部を示す断面図である。
【図１０】本発明に係る電気光学装置のさらに他の実施形態を示す断面図である。
【図１１】本発明に係る電子機器の一実施形態を示すブロック図である。
【図１２】本発明に係る電子機器の他の実施形態を示す斜視図である。
【符号の説明】
【０１２４】
１，５１，６１，１０１．液晶表示装置（電気光学装置）、  
２，５２，６２，１０２．液晶パネル（電気光学パネル）、  
３，６３．駆動用ＩＣ、  ４，６４．照明装置、  ５．タッチパネル、  
６，６６．光源、  ７，６７．導光体、  ７ａ，６７ａ．光入射面、  
７ｂ，６７ｂ．光出射面、  ８，６８．光反射層、  ９，６９．光拡散層、  
１１，７１．素子基板、  １１ａ，７１ａ．第１透光性基板、  
１２，７２．カラーフィルタ基板、  １２ａ，７２ａ．第２透光性基板、  
１３，７３．シール材、  １４，７４．液晶層、  １５，７５．ＡＣＦ
１６ａ，７６ａ．偏光板（偏光層）、  １６ｂ，７６ｂ．偏光板、
１７，７７．張出し部、  １８．ライン配線、  １９．ＴＦＤ素子、  ２０．スペーサ、  
２１，８１．表示面、  ２３．樹脂層、  ２４．反射層、  
２５，８５．着色要素、  ２６，８６．遮光部材、  
２７，８７．オーバーコート層、  ２８ａ，８８ａ．ドット電極、  ２８ｂ．帯状電極、  
２９ａ，２９ｂ，８９ａ，８９ｂ．配向膜、  ３１．前面側基板、  ３２．背面側基板、
３３．シール材、  ３４ａ，３４ｂ．面電極、  ３５ａ，３５ｂ．低抵抗電極、  
３６．溝、  ３６ａ．溝の稜線、  ３７．スペーサ、  ３８．貼着部材、
３９．外部接続用端子、  ４１，９１．アンチグレア層（光拡散層）、
４２ａ，４２ｂ．保護層、  ４３．偏光子、  ４４．粘着層、  ４５．粒子、  
４６．導通材、  ４８．開口、  ４９，８３．外部接続用端子、  ７８．配線、
７９．ＴＦＴ素子、  ８０．フォトスペーサ、  ８８ｂ．共通電極、  
９５．ドレイン電極、  ９６．ゲート電極、  ９６’．ゲート電極線、
９７．ゲート絶縁膜、  ９８．半導体層、  ９９．ソース電極、  
９９’．ソース電極線、  １１０．制御回路、  １１１．液晶表示装置、
１１２．液晶パネル、  １１３．駆動回路、  １２０．携帯電話機（電子機器）、
１２１．本体部、  １２２．表示体部、  １２３．表示装置、  １２４．表示画面、  
Ｌ０．外部光、  Ｌｓ．透過光、  Ｒ．反射部、  Ｔ．透過部、  
Ｐ．隣接する溝の稜線の間隔、  Ｓ．解像度、
【図１】
2006162922.tif 000004
【図２】
2006162922.tif 000005
【図３】
2006162922.tif 000006
【図４】
2006162922.tif 000007
【図５】
2006162922.tif 000008
【図６】
2006162922.tif 000009
【図７】
2006162922.tif 000010
【図８】
2006162922.tif 000011
【図９】
2006162922.tif 000012
【図１０】
2006162922.tif 000013
【図１１】
2006162922.tif 000014
【図１２】
2006162922.tif 000015